(57)【要約】【課題】  横漏れを確実に防止できるとともに着用感の優れた吸収性物品を提供する。【解決手段】  幅方向の中央に位置する第１吸収コア１０と、その両側に位置する第２吸収コア１３とを備え、第１吸収コア１０の幅方向の両側から起立する立ち上がりフラップ１５が設けられていて、第１吸収コア１０は、前部と後部よりも股部Ｒが狭幅Ｗ１に形成され、第２吸収コア１３は、前部と後部よりも股部Ｒが狭幅Ｗ２に形成されている。【選択図】  図６
2005270346.tif 000002
【特許請求の範囲】
【請求項１】
幅方向の中央に位置する第１吸収コアと、その両側に位置する第２吸収コアとを備え、第１吸収コアの幅方向の両側から起立する立ち上がりフラップが設けられていて、少なくとも第１吸収コアは、前部と後部よりも股部が狭幅に形成されていることを特徴とする吸収性物品。
【請求項２】
第１吸収コアと第２吸収コアとの間に弾性部材が設けられていることを特徴とする請求項１記載の吸収性物品。
【請求項３】
上記立ち上がりフラップは、親水性シート材料で形成され、この立ち上がりフラップの少なくとも根元部分に、不透液性領域が形成されていることを特徴とする請求項１または２記載の吸収性物品。
【請求項４】
上記不透液性領域は、不透液性の通気性プラスチックフィルムで形成されていることを特徴とする請求項３記載の吸収性物品。
【請求項５】
上記立ち上がりフラップは、通気性の撥水性シート材料で形成されていることを特徴とする請求項１または２記載の吸収性物品。
【請求項６】
上記第２吸収コアは、前部と後部よりも股部が狭幅に形成されていることを特徴とする請求項１〜５のいずれか１項に記載の吸収性物品。
【発明の詳細な説明】
【技術分野】
【０００１】
本発明は、横漏れを確実に防止できるとともに着用感に優れた吸収性物品に関する。
【背景技術】
【０００２】
従来、幅方向の中央に位置する第１吸収コアと、その両側に位置する第２吸収コアとを備え、第１吸収コアの幅方向の両側から起立する立ち上がりフラップが設けられている使い捨ておしめがある（特許文献１参照）。
【特許文献１】特開平３−１２１０６９号公報
【発明の開示】
【発明が解決しようとする課題】
【０００３】
しかしながら、特許文献１では、各吸収コアが長方形状であるから、特に股部において着用感を損なうという問題があった。
【０００４】
本発明は、上記問題を解消するためになされたもので、横漏れを確実に防止できるとともに着用感に優れた吸収性物品を提供することを課題とするものである。
【課題を解決するための手段】
【０００５】
上記課題を解決するために、請求項１の発明は、幅方向の中央に位置する第１吸収コアと、その両側に位置する第２吸収コアとを備え、第１吸収コアの幅方向の両側から起立する立ち上がりフラップが設けられていて、少なくとも第１吸収コアは、前部と後部よりも股部が狭幅に形成されていることを特徴とする吸収性物品を提供するものである。
【０００６】
請求項２の発明は、請求項１記載の吸収性物品であって、第１吸収コアと第２吸収コアとの間に弾性部材が設けられていることを特徴とするものである。
【０００７】
請求項３の発明は、請求項１または２記載の吸収性物品であって、上記立ち上がりフラップは、親水性シート材料で形成され、この立ち上がりフラップの少なくとも根元部分に、不透液性領域が形成されていることを特徴とするものである。
【０００８】
請求項４の発明は、請求項３記載の吸収性物品であって、上記不透液性領域は、不透液性の通気性プラスチックフィルムで形成されていることを特徴とするものである。
【０００９】
請求項５の発明は、請求項１または２記載の吸収性物品であって、上記立ち上がりフラップは、通気性の撥水性シート材料で形成されていることを特徴とするものである。
【００１０】
請求項６の発明は、請求項１〜５のいずれか１項に記載の吸収性物品であって、上記第２吸収コアは、前部と後部よりも股部が狭幅に形成されていることを特徴とするものである。
【発明の効果】
【００１１】
請求項１の発明によれば、第１吸収コアの両側に第２吸収コアを設けて、第１吸収コアの両側に立ち上がりフラップを設けたから、着用者が横向きに寝ている場合、第１吸収コアで吸収しきれなかった尿等が立ち上がりフラップを乗り越えても、第２吸収コアで吸収できるため、横漏れを確実に防止することができる。また、第１吸収コアの股部を狭幅に形成したから、股部がごわごわしなくなって、着用感が向上するようになる。
【００１２】
請求項２の発明によれば、弾性部材の収縮力で第１吸収コアと第２吸収コアとが着用者にフィットして、横漏れを確実に防止できるとともに、立ち上がりフラップがさらに起立し易くなって、横漏れをより確実に防止できるようになる。
【００１３】
請求項３の発明によれば、立ち上がりフラップを親水性シート材料で形成したから、肌に触ったときの着用者の汗を吸い易くなって着用感が向上するとともに、根元部分に不透液性領域を形成することにより、尿等が立ち上がりフラップを透過しにくくなって、横漏れをより確実に防止できるようになる。
【００１４】
請求項４の発明によれば、不透液性領域を不透液性の通気性プラスチックフィルムで簡単に形成できるようになる。
【００１５】
請求項５の発明によれば、立ち上がりフラップを通気性の撥水性シート材料で形成したから、通気性が良好で着用感が向上するとともに、横漏れをより確実に防止できるようになる。
【００１６】
請求項６の発明によれば、第１吸収コアとともに第２吸収コアの股部も狭幅に形成したから、股部にフィットし易くなって横漏れを確実に防止できるとともに、股部がごわごわしなくなって、着用感が向上するようになる。
【発明を実施するための最良の形態】
【００１７】
以下、本発明を実施するための最良の形態について、図面を参照しながら詳細に説明する。
【００１８】
図１（ａ）は、開閉式使い捨てパンツ１の展開正面図であり、この使い捨てパンツ１は、パンツ本体２と吸収性本体（吸収性物品）３とを組み合わせて構成されている。
【００１９】
図６（ａ）は吸収性本体３の正面図、図６（ｂ）は図６（ａ）のＡ−Ａ線断面図、図７は図６（ａ）のＢ−Ｂ線断面図である。
【００２０】
上記吸収性本体３は、第１吸収体６と、この第１吸収体６の下に接合部１９により接合された第２吸収体７とを備えている。
【００２１】
第１吸収体６は、親水性の第１トップシート８と、不透液性若しくは撥水性の第１バックシート９との間に第１吸収コア１０が挟み込まれて接合されている。
【００２２】
第２吸収体７は、親水性の第２トップシート１１と、不透液性若しくは撥水性の第２バックシート１２との間の左右両側位置に第２吸収コア１３がそれぞれ挟み込まれて接合されている。
【００２３】
第２バックシート１２の外側には、撥水性シート１４が接合されて、この撥水性シート１４と第２トップシート１１とが接合されることになる。この撥水性シート１４は、肌触りを良くするためのものであるが、撥水性シート１４を省略して、第２バックシート１２を延出させることにより、第２バックシート１２と第２トップシート１１とを接合することも可能である。
【００２４】
第１吸収コア１０は、前部と後部よりも股部が狭幅Ｗ１の砂時計型に形成されるとともに、第２吸収コア１３は、第１吸収体６よりも大きくて、第１吸収コア１０と同様に、前部と後部よりも股部が狭幅Ｗ２の砂時計型に形成されている。
【００２５】
第１吸収コア１０は、第１吸収体６の外輪郭に沿った砂時計型であるが、第２吸収コア１３は、内縁が第１吸収コア１０の外縁に沿った内向き湾曲凸形状に形成されるとともに、外縁が第２吸収体７の脚用穴Ｓに沿った内向き湾曲凹形状に形成されている。
【００２６】
そして、第１吸収体６の第１吸収コア１０は、第２吸収体７の左右の第２吸収コア１３間に嵌め込まれるようになる。なお、図６（ｂ）および図７では、各素材の位置関係を明らかにするために、第２吸収コア１３に対して第１吸収コア１０が浮いているように描かれているが、実際には、第１吸収コア１０と第２吸収コア１３とは、図８に示すように、略フラット（略偏平）になる。
【００２７】
第１吸収体６の第１吸収コア１０の外縁と第２吸収コア１３の内縁との間の嵌め込み部分には、隙間ｔ（図８参照…例えば３〜１０ｍｍ）が形成されていることが好ましい。
【００２８】
第１吸収体６には、親水性の立ち上がりフラップ１５が設けられている。この立ち上がりフラップ１５は、第１バックシート９の下面に接着された底部１５ａの左右両端から第１吸収体６の両側部に沿って立ち上がり、その上端から内向きに折り返した立ち下げ端部１５ｂには、立ち上がり用弾性部材１６が長さ方向に伸張状態で添設されている。
【００２９】
第１吸収体６の第１トップシート８は、側端部８ａが立ち上げられて、立ち上がりフラップ１５の立ち下げ端部１５ｂに接合されているとともに、第１バックシート９の側端部（不透液性領域）９ａが立ち上げられて、第１トップシート８の立ち上げ側端部（根元部分）８ａに接合されている。
【００３０】
第１トップシート８の側端部８ａと第１バックシート９の側端部９ａとは、略同じ高さで立ち上がっていることが好ましい。
【００３１】
第１吸収体６の立ち上がりフラップ１５と第１バックシート９との間には、立ち上がり基部付近と立ち上がり中間部付近とに、立ち上がり補助用弾性部材１７ａ，１７ｂがそれぞれ長さ方向に伸張状態で添設されている。この立ち上がり補助用弾性部材１７ａ，１７ｂは、立ち上がりフラップ１５の立ち上がりを確実にするためのものであり、特に、中間部付近の立ち上がり補助用弾性部材１７ｂは、第１吸収コア１０の内向き湾曲凹形状の部分の立ち上がりを確実にするために寄与するものである。なお、立ち上がり補助用弾性部材１７ａ，１７ｂは省略することも可能である。
【００３２】
第２吸収体７の第２トップシート１１と撥水性シート１４との間の両端部には、脚用穴Ｓと第２吸収コア１３の外縁とに沿って脚用弾性部材１８が長さ方向に伸張状態で添設されている。
【００３３】
第１吸収体６と第２吸収体７とは、前後方向の長さは同じに設定され、吸収性本体３としては、後部３ｂの長さは短く、前部３ａの長さは長く設定されていて、各吸収コア１０，１３および各弾性部材１６，１７ａ，１７ｂ，１８の前後方向の長さは、前部３ａと後部３ｂとの間の中間部３ｃの前後端部付近で止まるように設定されている。
【００３４】
第１吸収体６の立ち上がりフラップ１５の前後端部１５ｃ，１５ｄは、上記吸収性本体３の前部３ａと後部３ｂの長さの範囲で、図７のように、第１トップシート８の上に倒伏した姿勢で接合部２４により接合されている。
【００３５】
上記吸収性本体３の前部３ａの前端側には、第２吸収体７の第２トップシート１１と撥水性シート１４との間に、前ウエスト用弾性部材２０が幅方向に伸張状態で添設されている。
【００３６】
また、上記吸収性本体３の前部３ａの前端側の両側には、第２吸収体７の第２トップシート１１にメカニカルファスナーの第１フック材２１が接合されるとともに、前部３ａの後端側の両側には、第２吸収体７の第２トップシート１１と撥水性シート１４との間に挟み込んで取付けた摘み用タブ２２にメカニカルファスナーの第２フック材２３が接合されている。
【００３７】
この左右の摘み用タブ２２の内、図６（ａ）の左側の摘み用タブ２２は、内向きに折り込まれて、その第２フック材２３を第２トップシート（ループ材となる不織布）１１に係止された不使用状態を図示してあり、右側の摘み用タブ２２は、外向きに折り返されて、その第２フック材２３が第２トップシート（ループ材となる不織布）１１に係止されていない使用状態を図示している。この摘み用タブ２２は、通常は、左側の摘み用タブ２２のように、内向きに折り込まれた不使用状態になっている。
【００３８】
ここで、メカニカルファスナーとは、フック部とループ部とが対をなして、両者を強く圧迫すると、フック部とループ部とが相互に外れにくいように係止されるとともに、フック部とループ部とを手で強く引き剥がすと、フック部とループ部との係止が外れるものをいい、面ファスナーとも呼ばれている。
【００３９】
また、不織布製シート自体は、メカニカルファスナーのループ部としての機能も有するので、ループ部を設ける代わりに、不織布シートを利用すれば、ループ部を省略できる。なお、メカニカルファスナーに代えて、繰り返して係止・剥離可能な粘着剤であっても良い。
【００４０】
第１吸収体６と第２吸収体７とは別工程で製造して、第２吸収体７の上に第１吸収体６を接合部１９で接合することにより、一体的に組み付けられるようになる。
【００４１】
上記吸収性本体（吸収性物品）３は、吸収コア１０，１３を幅方向に３分割して、両側位置の第２吸収コア１３の間に第１吸収コア１０を嵌め込んで、第１吸収コア１０と第２吸収コア１３とを略フラットにするとともに、第１吸収体６の両側部に、立ち上がりフラップ１５を設けたものである。
【００４２】
したがって、通常時は、中央位置の第１吸収コア１０で尿等を吸収するとともに、立ち上がりフラップ１５で第１吸収体６からの横漏れを防止することができる。
【００４３】
そして、着用者が横向きに寝ている場合、第１吸収コア１０で吸収しきれなかった尿等が立ち上がりフラップ１５を乗り越えても、第２吸収コア１３で吸収できるため、横漏れを確実に防止することができる。
【００４４】
また、第１吸収コア１０の股部Ｒを狭幅Ｗ１に形成したから、股部Ｒがごわごわしなくなって、着用感が向上するようになる。
【００４５】
加えて、第１吸収コア１０とともに第２吸収コア１３の股部Ｒも狭幅Ｗ２に形成したから、股部Ｒにフィットし易くなって横漏れを確実に防止できるとともに、股部Ｒがごわごわしなくなって、着用感が向上するようになる。
【００４６】
第１トップシート８が親水性、第１バックシート９が不透液性若しくは撥水性、立ち上がりフラップ１５が親水性である場合、尿等は第１トップシート８の付近から立ち上がりフラップ１５を透過し易くなる。
【００４７】
そこで、不透液性若しくは撥水性の第１バックシート９の立ち上げ側端部（不透液性領域）９ａを親水性の第１トップシート８の立ち上げ側端部（根元部分）８ａに接合することにより、尿等が第１バックシート９の立ち上げ側端部９ａの高さを超えるまでは、親水性の立ち上がりフラップ１５を透過しにくくなるので、第１吸収体６からの横漏れを確実に防止することができる。
【００４８】
また、第１バックシート９を不透液性の通気性プラスチックフィルムで形成すれば、第１バックシート９の立ち上げ側端部９ａを利用して不透液性領域を簡単に形成することができる。
【００４９】
さらに、立ち上がりフラップ１５を通気性の撥水性シート材料で形成すれば、通気性が良好で着用感が向上するとともに、横漏れをより確実に防止できるようになる。
【００５０】
さらにまた、第１吸収コア１０と第２吸収コア１３の嵌め込み部分に隙間ｔを形成したから、第２吸収コア１３の間に第１吸収コア１０を嵌め込む際の微妙な調整代が不要になるので、各吸収体６，７の製造・組み付けを容易に行うことができる。
【００５１】
上記吸収性本体３において、第１トップシート８は親水性、立ち上がりフラップ１５は撥水性である場合には、第１トップシート８の立ち上げ側端部８ａを立ち上がりフラップ１５の立ち下げ端部１５ｂに接合することができる。この場合には、第１バックシート９に立ち上げ側端部９ａを形成する必要は無い。
【００５２】
そして、立ち上がりフラップ１５が撥水性である場合、尿等は第１トップシート８の付近から立ち上がりフラップ１５を透過し難くなるが、表面張力の関係で尿等が球状になって立ち上がりフラップ１５の前後方向に移動して、前後端部１５ｃ，１５ｄから横漏れし易くなる。
【００５３】
そこで、親水性の第１トップシート８の立ち上げ側端部８ａを撥水性の立ち上がりフラップ１５の立ち下げ端部１５ｂに接合することにより、尿等が球状にならないで、トップシート８の立ち上げ側端部８ａにしみ込みながら拡散するので、前後端部１５ｃ，１５ｄからの横漏れを防止することができる。
【００５４】
上記吸収性本体３では、第１吸収体６を第１トップシート８と第１バックシート９と第１吸収コア１０とで構成し、第２吸収体７を第２トップシート１１と第２バックシート１２と第２吸収コア１３とで構成したが、図９（ａ）に示すように、第１吸収コア１０と第２吸収コア１３とを幅方向に並べてティッシュペーパー５０で包むとともに、これを親水性のトップシート５１と、不透液性若しくは撥水性のバックシート５２との間に挟み込んで接合することもできる。
【００５５】
この場合、親水性の立ち上がりフラップ１５の基端部１５ｄは、第１吸収コア１０の両側に位置するトップシート５１に接合部５３で接合するとともに、立ち上がりフラップ１５の立ち下げ端部１５ｂを基端部１５ｄの付近まで延長して、この立ち下げ端部１５ｂと基端部１５ｄとの間に、通気性フィルム５４を介設することができる。この通気性フィルム５４によって、立ち上がりフラップ１５の根元部分に不透液性領域が形成されるようになる。
【００５６】
また、上記立ち上がり補助用弾性部材１７ｂを立ち上がりフラップ１５に設ける代わりに、図９（ｂ）に示すように、第１吸収コア１０と第２吸収コア１３との間に設ければ、立ち上がり補助用弾性部材１７ｂの収縮力で第１吸収コア１０と第２吸収コア１３とが着用者にフィットして、横漏れを確実に防止できるとともに、立ち上がりフラップ１５がさらに起立し易くなって、横漏れをより確実に防止できるようになる。
【００５７】
上記第１吸収コア１０と第２吸収コア１３とは、図１０（ａ）のような平面形状であったが、図１０（ｂ）のように、第１吸収コア１０は砂時計型のままで、第２吸収コア１３は、外縁を第２吸収体７の脚用穴Ｓに沿った内向き湾曲凹形状に形成して、内縁を直線状に形成しても良く、また、図１０（ｃ）のように、第２吸収コア１３は、外縁と内縁の双方を直線状に形成しても良い。
【００５８】
さらに、第１吸収コア１０と第２吸収コア１３とが分離しているのではなく、図１０（ｄ）のように、前部と後部で繋がっているものでも良い。
【００５９】
次に、上記吸収性本体３を取付けるパンツ本体２を説明する。
【００６０】
図１（ａ）は、開閉式使い捨てパンツ１の展開正面図、図１（ｂ）は、パンツ本体２の展開正面図である。
【００６１】
上記パンツ本体２は、前腹部Ｐと後背部Ｑとを組み合わせて構成されている。
【００６２】
上記前腹部Ｐは、図１（ａ）（ｂ）では、右前帯部Ｐ１と左前帯部Ｐ２とに切り離された状態となっているが、切り離し前は、図４（ａ）のように、ミシン目状の切断線３０で一体的に連結されていて、図４（ｂ）のように、必要な時に切断線３０で切り離せるようになっている。以下で前腹部Ｐと言うときは、切り離し前の連結状態を指すものとする。
【００６３】
上記前腹部Ｐは、図４（ａ）を参照すれば、内装シート３１と外装シート３２との間に、前帯用弾性部材３３が幅方向に伸張状態で添設されて構成され、この前腹部Ｐの下縁は、円弧状切欠き縁３４ａに形成されている。
【００６４】
上記後背部Ｑは、図４（ｃ）を参照すれば、内装シート３５と外装シート３６との間に、後ウエスト用弾性部材３７と後ボディフィット用弾性部材３８とが幅方向に伸張状態で添設されるとともに、左右下部の円弧状切欠き縁３４ｂに沿って、かつ上記吸収性本体３の脚用弾性部材１８に繋がるように、脚用弾性部材３９が伸張状態で添設されて構成されている。
【００６５】
上記後背部Ｑの内装シート３５には、上記吸収性本体３の中間部３ｃの一部と後部３ｂとが接合されて組み付けられている。なお、吸収性本体３を接合する後背部Ｑの部分に位置する後ボディフィット用弾性部材３８と脚用弾性部材３９とは、弱体化処理（切断等）を施して、その伸縮力が吸収性本体３に及ばないようにすることが好ましい。
【００６６】
上記前腹部Ｐと後背部Ｑとは、図２のように、左右両端部３４ｃを相互に接合することで（サイドシール）、一体的に組み付けられて、前腹部Ｐと後背部Ｑとの間に胴回り開口Ｕ（図５参照）を形成するようになっている。また、吸収性本体３を図３のように二つ折りした時には（詳細は後述する。）、後背部Ｑと吸収性本体３との間の両側に脚用穴Ｓ（図５参照）が形成されることになり、このとき吸収性本体３の長さ方向の中間部分が股部Ｒとなる。
【００６７】
上記前腹部Ｐの外装シート３２の前面には、横長長方形シート状のループ材４１が接合されている。この接合構造については後で詳細に説明する。
【００６８】
上記ループ材４１にも上記切断線３０が形成されていて、上記前腹部Ｐが右前帯部Ｐ１と左前帯部Ｐ２とに切り離される時に、同時に切り離されるようになる。
【００６９】
上記ループ材４１の前方には、上記切断線３０に跨って帯摘み部４２が配置され、この帯摘み部４２の一端部は接合部４３で右前帯部Ｐ１に接合されるとともに、他端部にはメカニカルファスナーの第３フック材４４が接合されている。
【００７０】
この第３フック材４４は、前腹部Ｐの切り離し前は〔図４（ａ）参照〕、上記ループ材４１に係止されるとともに、前腹部Ｐの切り離し時は〔図４（ｂ）参照〕、上記帯摘み部４２を摘んで上記ループ材４１から引き剥がすようにする。
【００７１】
上記吸収性本体３を図２の状態から図３のように二つ折りした時は、吸収性本体３の前部３ａの両側の第１フック材２１がループ材４１に係止されて、吸収性本体３が二つ折り状態に保持されるようになる。
【００７２】
上記使い捨てパンツ１の製造時は、図３のような状態でパンツ本体２と吸収性本体３とが組み付けられている。
【００７３】
着用者が使い捨てパンツ１を穿く時（介護者が使い捨てパンツ１を穿かせる時）は、胴回り開口Ｕから左右の脚を脚用穴Ｓにそれぞれ通して、前腹部Ｐが腹側、後背部Ｑが背側となるように使い捨てパンツ１を引き上げると、前腹部Ｐと後背部Ｑは、各弾性部材２０，３３，３７，３８の収縮力で着用者の胴回りにフィットするとともに、脚用穴Ｓは、各弾性部材１８，３９の収縮力で着用者の脚周りにフィットするようになる。また、吸収性本体３の股部Ｒは、立ち上がった立ち上がりフラップ１５とともに着用者の股回りにフィットするようになる。
【００７４】
そして、着用者が使い捨てパンツ１を脱ぐ時（介護者が使い捨てパンツ１を脱がせる時）は、使い捨てパンツ１を引き下げて、左右の脚を脚用穴Ｓからそれぞれ抜くようにすれば良い。
【００７５】
上記使い捨てパンツ１は、下記のような穿き方（穿かせ方）をすることができる。
【００７６】
すなわち、図３の二つ折り状態の吸収性本体３の第１フック材２１を前腹部Ｐのループ材４１から引き剥がして、図２のように、吸収性本体３を展開状態とする。次いで、図４（ａ）（ｂ）のように、前腹部Ｐの帯摘み部４２を摘んで、第３フック材４４をループ材４１から引き剥がすとともに、前腹部Ｐを切断線３０で切断し、右前帯部Ｐ１と左前帯部Ｐ２とに切り離して、図１（ａ）のように、右前帯部Ｐ１と左前帯部Ｐ２とを展開状態とする。
【００７７】
この状態で、着用者の背側に後背部Ｑを回すとともに、着用者の腹側に右前帯部Ｐ１と左前帯部Ｐ２とを回して、右前帯部Ｐ１の帯摘み部４２を摘んで、第３フック材４４を左前帯部Ｐ２のループ材４１に係止させる。これにより、前腹部Ｐと後背部Ｑが着用者の胴回りにフィットするようになる。
【００７８】
次いで、吸収性本体３を後から前に着用者の股下にくぐらせて二つ折りしながら、吸収性本体３の第１フック材２１を右前帯部Ｐ１と左前帯部Ｐ２のループ材４１に係止させる。これにより、吸収性本体３が二つ折り状態に保持されて、着用者の股回りにフィットするようになる。
【００７９】
このとき、図５のように、吸収性本体３の前部３ａの両側の摘み用タブ２２を摘んで、第２フック材２３を第２吸収体７の第２トップシート（ループ材となる不織布）１１から引き剥がし、摘み用タブ２２を後方に引っ張りながら右前帯部Ｐ１と左前帯部Ｐ２の外装シート（ループ材となる不織布）３２に係止させる。これにより、脚用穴Ｓが絞られて、着用者の脚回りによりフィットするようになる。
【００８０】
そして、着用者が使い捨てパンツ１を脱ぐ時（介護者が使い捨てパンツ１を穿かせる時）は、上記と逆の手順、つまり、吸収性本体３の前部３ａの両側の摘み用タブ２２を摘んで、第２フック材２３を第２吸収体７の第２トップシート（ループ材となる不織布）１１から引き剥がし、吸収性本体３の第１フック材２１を右前帯部Ｐ１と左前帯部Ｐ２のループ材４１から引き剥がして、吸収性本体３を前から後に着用者の股下にくぐらせて展開させ、次いで、前腹部Ｐの帯摘み部４２を摘んで、第３フック材４４をループ材４１から引き剥がして、右前帯部Ｐ１と左前帯部Ｐ２とを展開させれば良い。
【００８１】
上記各部材の構成材料等を簡単に説明する。
【００８２】
［第１トップシート８、第２トップシート１１、トップシート５１］
親水性（透液性）不織布材料が好ましい。例えば、親水性繊維（セルロース、レーヨン、コットン等）を用いた不織布材料、或いは疎水性繊維（ポリプロピレン、ポリエステル、ポリアミド、ナイロン等）の表面を界面活性剤により処理し、透液性として不織布材料が用いられる。好ましくは、疎水性繊維裏面を界面活性剤により処理し透液性とした目付１０〜２５ｇ／ｍ２の透液性不織布材料（ポイントボンド不織布、エアースルー不織布）である。
【００８３】
［第１バックシート９、第２バックシート１２、バックシート５２］
撥水性不織布材料（スパンボンド不織布、メルトブロー不織布、ＳＭＳ不織布等）、プラスチックフィルム（通気性であっても非通気性であっても良いが、好適な態様としては通気性プラスチックフィルムが望ましい）やその複合材料が用いられる。好ましくは、目付１５〜４０ｇ／ｍ２の通気性ポリエチレンフィルムである。
【００８４】
［第１吸収コア１０、第２吸収コア１３］
粉砕したパルプ繊維やセルロース繊維等の親水性繊維集合層に粒状の高分子吸水体を混合した吸収性コアを、ティッシュペーパーなどの紙シート或いは透液性不織布シート等の被覆シートで包んで、所定形状（長方形、砂時計型、ひょうたん型等）に成形した吸収体である。上記繊維や高分子吸水体をシート状に成形したシート状吸収体（例えばエアレイド吸収体）等を、所定形状に成形して用いても構わない。また、着用者が歩いたり、寝返りを打ったりしても形状を保持できるように、親水性繊維集合層中やシートに形状保持手段（ホットメルト接着剤の塗布、合成繊維の混合）を施しても構わない。
【００８５】
〔撥水性シート１４〕
第２バックシート１２にプラスチックフィルムを使用した時に、肌触りを良くするためのものであって、撥水性不織布材料（スパンボンド不織布、メルトブロー不織布、ＳＭＳ不織布等）が好ましい。
【００８６】
［立ち上がりフラップ１５］
親水性の場合は、第１、第２トップシート８，１１と同様の不織布材料が好ましい。
【００８７】
撥水性の場合は、第１、第２バックシート９，１２と同様の不織布材料が好ましい。
【００８８】
［弾性部材１６，１７ａ，１７ｂ，１８，２０，３３，３７，３８，３９］
通常使い捨ておむつに用いられる弾性伸縮材料（ポリウレタン糸、ポリウレタンフィルム、天然ゴム等）が用いられて、ホットメルト接着剤、熱接着、超音波接着など好適な添設手段でもって添設される。好ましくはゴム系のホットメルト接着剤である。また、繊度３００〜２０００デシテックスのポリウレタン糸を、倍率１．１〜５．０倍に伸長して添設するのが好ましい。
【００８９】
［内装シート３１］
撥水性不織布材料（スパンボンド不織布、メルトブロー不織布、ＳＭＳ不織布等）が用いられる。好ましくは、目付１０〜２５ｇ／ｍ２の撥水性不織布材料である。また、内面のみを親水化［界面活性剤を塗布する或いは親水性繊維（レーヨン、コットン等）の層を作る。］しても良く、この場合には、肌に当接した場合の感触が良くなり、吸汗効果も期待できる。
【００９０】
［外装シート３２］
通気性のある撥水性不織布材料（スパンボンド不織布、メルトブロー不織布、ＳＭＳ不織布等）が用いられる。好ましくは、目付１０〜２５ｇ／ｍ２の撥水性不織布材料である。
【００９１】
［各シート材料の接合］
上記各シート材料の接合は、ホットメルト接着剤、熱接合、超音波シール等の方法が適宜用いられる。ホットメルト接着剤については、ゴム系、ポリオレフィン系、酢酸ビニル系等のホットメルト接着剤から適切に選定して、直接的なコーター塗布、間接的なスパイラル塗布、メルトブロー（カーテンスプレー）塗布、ビード塗布等の方法で塗布する。なお、サイドシールの接合には、熱接合が好ましい。
【図面の簡単な説明】
【００９２】
【図１】（ａ）は開閉式使い捨てパンツの展開正面図、（ｂ）はパンツ本体の展開正面図である。
【図２】開閉式使い捨てパンツの前腹部が右前帯部と左前帯部とに切り離される前の正面図である。
【図３】開閉式使い捨てパンツの吸収性本体を二つ折りして係止した状態の正面図である。
【図４】（ａ）は前腹部の切断線部分の切断前の断面図、（ｂ）は前腹部の切断線部分の切断後の断面図、（ｃ）は後背部の断面図である。
【図５】開閉式使い捨てパンツの組み付け側面図である。
【図６】（ａ）は吸収性本体の正面図、（ｂ）は（ａ）のＡ−Ａ線断面図である。
【図７】図６（ａ）のＢ−Ｂ線断面図である。
【図８】第１吸収コアと第２吸収コアの上下位置関係を示す断面図である。
【図９】（ａ）（ｂ）は、それぞれ吸収性物品の変形例の断面図である。
【図１０】（ａ）〜（ｄ）は、それぞれ吸収コアの態様例を示す平面図である。
【符号の説明】
【００９３】
１      使い捨てパンツ
２      パンツ本体
３      吸収性本体
３ａ    前部
３ｂ    後部
６      第１吸収体
７      第２吸収体
８      第１トップシート
８ａ    立ち上げ側端部（根元部分）
９      第１バックシート
９ａ    立ち上げ側端部（不透液性領域）
１０    第１吸収コア
１１    第２トップシート
１２    第２バックシート
１３    第２吸収コア
１５    立ち上がりフラップ
５０    ティッシュペーパー
５１    トップシート
５２    バックシート
Ｐ      前腹部
Ｑ      後背部
Ｒ      股部
Ｓ      脚用穴
Ｗ      幅方向
Ｗ１，Ｗ２  狭幅
【図１】
2005270346.tif 000003
【図２】
2005270346.tif 000004
【図３】
2005270346.tif 000005
【図４】
2005270346.tif 000006
【図５】
2005270346.tif 000007
【図６】
2005270346.tif 000008
【図７】
2005270346.tif 000009
【図８】
2005270346.tif 000010
【図９】
2005270346.tif 000011
【図１０】
2005270346.tif 000012